(57)【特許請求の範囲】
【請求項１】
寝かせた状態のまま頭髪を洗浄する携帯および移動可能な洗髪器において、
使用する洗浄用水と使用後の排水とを収容し、洗浄用水と洗髪後の汚水とが混在しないように分けて収容するためにビニール袋による仕切を設けるとともに、仕切られたタンクの一方に洗浄用水出口を他方に排水収容口を装備したタンクと、
洗浄用水を洗髪のためにタンクから汲み上げる電動ポンプとホースとシャワーヘッドとからなるシャワー部と、
洗髪後の汚水の排水口と排水ホースを装備した三角柱を寝かせた形の洗髪タブと、
洗髪タブの下に設置し洗髪される者の頭が洗髪タブの中に入るように調節するための発泡性樹脂からなる寝かせた三角柱形の台であり、該寝かせた三角柱の断面三角形の洗髪タブの底面に接する斜面の傾斜角が約３０度である設置台と、
からなるとともに、前記排水口が、傾斜した洗髪タブの最下部に装備されていることを特徴とする携帯可能な移動式洗髪器。
【請求項２】
前記洗髪タブは、洗髪される者の首が当る鋭角側の一辺を形成する先端縁に、ウレタンからなる首保護部を設けるとともに、前記設置台と接する洗髪タブ底面のタブ内側にウレタンからなる半円筒状の頭部保護部を設けたことを特徴とする請求項１記載の携帯可能な移動式洗髪器。
【請求項３】
前記洗髪タブは、シャワーヘッドを保持するための保持部を壁面に設けるとともに、設置台から滑り落ちないように底裏面にズレ防止部を装備したことを特徴とする請求項１または２記載の携帯可能な移動式洗髪器。
【発明の詳細な説明】
【０００１】
【発明の属する技術分野】
本発明は、寝たままで洗髪を行うことが可能な洗髪器に関し、特に移動・携帯でき、作業効率のよい携帯可能な移動式洗髪器に関する。
【０００２】
【従来の技術】
洗髪は主に入浴時等に行うのが一般的である。また、洗面台にシャワーが装備され、洗面台で洗髪作業を行うことも一般的になってきている。しかし、何等かの事情により、寝たままで洗髪を行わなくてはならない人も多くいる。寝たままで洗髪作業を行う人は主に身体が不自由な要介護者等であり、近年、洗髪器なる道具が販売されている。この洗髪器は、寝たきり等の要介護者の頭髪を洗髪するために、開発されたものである。寝たきり等の要介護者は、入浴する時が一番困難である。介護者を介して入浴をしようとしても、非常に労力がかかり、介護福祉士等の専門職の介護者にとっても非常な重労働となる。特に、入浴作業は一般人にとっては困難であるため、入浴移動車介護サービス等を利用して専門職の介護者によるサービスを受ける場合が多い。
【０００３】
介護サービスを受けるために料金を支払わなければならず、サービスを受けたくても受けられない人が多かった。また、一回の入浴で装置の設置から作業にかかる時間は非常に長い時間を要すため、入浴がストレスの原因ともなっていた。さらに、移動車等による入浴介護サービスはまだ数が少ない状況であり、やはり介護者が訪問して介護を行うのが一般的である。そのため、身体を濡れタオル等で拭いて清潔にし、頭髪の洗髪だけを専門の介護に任せるという場合が多いのが現状である。
【０００４】
頭髪の洗髪用の装置として「頭皮洗浄装置及び頭皮の洗浄方法」（特開平１０−１３７０２７）が特許出願され公開されている。この装置は、超酸水（電解酸性水）を収納するボトルと、開口収納容器とホースと循環器とからなる装置であり、ビニール等の素材で作られた開口収納容器をベッド等に設置して、利用者（要介護者）の頭部を開口収納容器内に入れて、超酸水を吸い上げ、頭皮にシャワー等で散水する構成である。しかし開示されている技術では、開口収納容器がラッパ状であり、さらに洗髪後の汚水を排水できない重大な欠点があった。また、この発明では開口収納容器に吸い上げホースを入れて排水を吸い上げて再利用する方法も記載されているが、排水を使用した後のホース内部は排水で汚れてしまい、新たに綺麗な超酸水を利用したとしてもホース内が汚れているのので浄水とならない問題があった。また、排水が洗髪用容器に溜まってしまうと洗髪したはずの髪または頭皮がまた汚れてしまう問題が生じていた。すなわち、洗髪後の汚水をどのように排水するかが問題であった。そのため、洗髪後の汚水を簡単に排水でき、軽量で持ち運び可能な移動式洗髪器の開発が待たれていた。
【０００５】
【発明が解決しようとする課題】
本発明は、上記問題を解決した携帯可能な移動式洗髪器であり、軽量であって持ち運びが簡単であり、更に洗髪後の汚水が効率的に排水できる携帯可能な移動式洗髪器を提供することを目的としている。
【０００６】
【課題を解決するための手段】
本発明に係る携帯可能な移動式洗髪器は、寝かせた状態のまま頭髪を洗浄する携帯および移動可能な洗髪器において、使用する洗浄用水と使用後の排水とを収容し、洗浄用水と洗髪後の汚水とが混在しないように分けて収容するためにビニール袋による仕切を設けるとともに、仕切られたタンクの一方に洗浄用水出口を他方に排水収容口を装備したタンクと、洗浄用水を洗髪のためにタンクから汲み上げる電動ポンプとホースとシャワーヘッドとからなるシャワー部と、洗髪後の汚水の排水口と排水ホースを装備した三角柱を寝かせた形の洗髪タブと、洗髪タブの下に設置し洗髪される者の頭が洗髪タブの中に入るように調節するための発泡性樹脂からなる寝かせた三角柱形の台であり、該寝かせた三角柱の断面三角形の洗髪タブの底面に接する斜面の傾斜角が約３０度である設置台と、からなるとともに、前記排水口が、傾斜した洗髪タブの最下部に装備されている構成である。
【０００７】
前記洗髪タブは、洗髪される者の首が当る鋭角側の一辺を形成する先端縁に、ウレタンからなる首保護部を設けるとともに、前記設置台と接する洗髪タブ底面のタブ内側にウレタンからなる半円筒状の頭部保護部を設けた構成である。さらに、前記洗髪タブは、シャワーヘッドを保持するための保持部を壁面に設けるとともに、設置台から滑り落ちないように底裏面にズレ防止部を装備した構成でもある。
【０００８】
【作用】
本発明に係る携帯可能な移動式洗髪器は、携帯可能であるため、ベッド等で寝たままでも洗髪可能であり、洗髪作業を行う際にも簡単に持ち運びが可能である。また、簡単な構成であるため、短時間で設置作業をすることができ、洗髪利用者にも負担がかからない利点がある。さらに、排水口を洗髪タブに設けたことにより、洗髪後の汚水を簡単に排水することが可能となり、また、排水も、洗浄用水の収容されていたタンクに効率的に収容することができる。
【０００９】
【発明の実施の形態】
以下に本発明に係る携帯可能な移動式洗髪器を図面に示す実施例により詳細に説明する。図１は本発明の携帯可能な移動式洗髪器の全体の構成を示す図であり、図２はタンクの構造図であり、図３はシャワー部の斜視図である。また、図４（ａ）は洗髪タブの平面図、（ｂ）は背面図である。
【００１０】
本発明の携帯可能な移動式洗髪器は、寝かせた状態で頭髪を洗う洗髪器である。携帯可能な移動式洗髪器１０は、タンク２０とシャワー部３０と洗髪タブ４０と設置台５０とからなる。洗髪タブ４０はベッド１２の上に置かれた傾斜のある設置台５０に開口を上にして搭載され、寝かされた者の頭がちりとり形の中に入る形となる。
【００１１】
タンク２０は図１及び図２で示す収納体であり、洗浄用水出口２２と、排水収容口２４と、仕切２６とが装備されている。洗浄用水と排水とが混在しないように分けて収容するためにビニール袋等による仕切２６を設けるとともに、各仕切内の一方に洗浄用水出口２２、他方に排水収容口２４を装備した構造である。タンク２０の大きさはどのような大きさでもよいが、洗髪作業を行うため、２０リットル以上の容積のタンクが望ましい。薄膜からなる仕切２６により区切られており、洗髪作業を行う前はタンクには洗浄用水を入れておくが、洗髪作業が終わった際には使用済みの排水が溜まる構成である。必要に応じてタンク２０は複数個使用することも考えられる。
【００１２】
洗浄用水出口２２は、タンクから洗浄用水を給水するための出口であり、各仕切り区分の一方に１箇所装備されている。排水収容口２４は、洗髪作業を行った後に生じる排水をタンクに収容するための開口部である。
【００１３】
仕切２６は、一つの容器で洗浄水用と排水用のタンクを兼用するために設けられた区切りである。この実施例では安価に押さえる為にビニール袋等の薄膜を利用している。薄膜により容器一杯の洗浄用水を、使用するまで分離させておく。排水も供給された洗浄用水と同一量となるので同じ容積の袋を用意することも可能である。ただし、図に示す実施例では、排水は袋に収納せずに直接タンクに収容している。仕切２６は、洗浄用水と排水の量の変化に応じて変化できる材質のものが望ましい。総量が同じなので、仕切２６を移動可能な構造にして対応することもできる。
【００１４】
洗髪作業前にまずタンク２０に洗浄用水出口２２より洗浄用水を容器一杯に注水する。洗髪作業を行うと、洗浄用水は使用されて同一量の排水となって戻ってくる。排水は排水収容口２４より仕切２６で洗浄水とは仕切られたタンク２０に収容される。作業終了後まで洗浄用水と排水は混在しない構成である。作業後には洗浄用水と同量若しくはそれより若干少ない排水がタンク内部に溜まることになる。仕切２６としてタンク中央に揺動可能な薄膜を装備することも考えられる。また、排水がある程度溜まった時点で排水を排水溝に捨て、洗浄用水を補給することも可能である。
【００１５】
シャワー部３０は、洗浄水をタンク２０から吸引して頭髪に散水するものであり、電動ポンプ３２と、ホース３４と、シャワーヘッド３６とからなる。電動ポンプ３２は、ホース３４の先端若しくは途中に装備するもので、タンク２０から洗浄用水をシャワーヘッド３６に供給するためのものである。電動ポンプ３２は、ＡＣ電源を使用して動作させることも可能であるが、シャワーヘッド３６を持ちながら作業するため、電池式もしくは充電式でコード不要の電動ポンプを用いるのが望ましい。電源スイッチがシャワーヘッド３６付近に設置されている遠隔制御機能のある電動ポンプが便利である。使用する洗浄水を節約し手早く作業する点からも手許で電源のオン／オフ操作ができると便利である。
【００１６】
ホース３４は、シャワーヘッド３６と洗浄用水出口２２とを連結するもので、タンク２０から洗浄用水をシャワーヘッド３６に供給する。ホース３４はビニール製等の一般的なホースを使用しても良いが、今回の実施例で使用しているホース３４の表面が蛇腹状の伸縮可能なホースを使用している。ホースは蛇腹状であるために摩擦が少なく、伸縮自在なので適宜の長さで使用できるので邪魔にならないという利点がある。また、伸縮自在なホースは持ち運びの際も小さくコンパクトにして持ち運ぶ事が可能となる。さらに、ホース３４は直径の小さいホースを使用する事が望ましい。直径が大きいと短時間で洗浄用水を使い切ってしまうことになり、また、同一のパワーでも水流が弱くなりシャンプー等が頭部に残る残存感をもたらす結果となる。
【００１７】
シャワーヘッド３６は、どのような形状のものであってもよい。この実施例のシャワーヘッドは、図１および図３で示すように円形のシャワー板３７とシャワー板背面に装備されたホース接続部３８とからなる構造である。シャワーヘッド３６は家庭の風呂場で使用されるような首を傾げた形のシャワーヘッドを用いる事も可能であるが、首を傾げた形のシャワーヘッドでは常に片手でシャワーヘッドを持っていなくてはならない。図に示すような円形シャワー板３７とホース接続部３８とからなるシャワーヘッドを用いると両手で作業が行える利点がある。円形シャワー板３７とホース接続部３８の中間の凹部３９を指で挟んで持つことによりシャワーヘッドを持った状態で両手である程度の動作をすることが可能となり作業効率を上げることができる。また、シャワー板３７に穿設されてる孔は通常のシャワーに穿設されている孔よりも小さいほうが望ましい。使用できる洗浄用水の量が限られているので、小さい孔により少量の水を水流の勢いを低下させないで使用することにより効率的で無駄のない洗髪ができる。
【００１８】
洗髪タブ４０は図４（ａ）（ｂ）に示すように、排水口４１と、排水ホース４４と、首保護部４６と、頭部保護部４７と、ズレ防止部４８と、シャワー保持部４９とからなる。洗髪タブ４０は、洗髪される者の頭が入るように、三角柱を寝かせた形すなわち、ちりとりを上向きに三角の台に乗せた形でちりとりの中に頭を入れる形であり、図４に示すような形状である。ちりとり形の先端縁が肩の上部となり首の高さと合うように設定する。首が先端縁に当たるので、先端縁の部分に保護カバーとしてウレタンを装備した首保護部４６を設けている。洗髪時に頭を支えている事は大変なので、ちりとり形の洗髪タブ４０の中に頭を乗せておくことになる。使用時には図１に示すように、洗髪タブの底面は設置台５２によって傾斜面５２を成している。頭が回転移動しないように、傾斜面となる洗髪タブ底面のタブ内側にウレタン等の柔軟な部材からなる頭部保護部４７を設けている。洗髪中にシャワーを片手に持っていると作業が自由に出来ないので、両手をフリーにする為にシャワー保持部４９を設けた構成でもある。
【００１９】
排水口４１は、洗髪した後の汚水を排水するための口であり、排水ホース４４と接続されている。排水口４１は、汚水の排水効率を考えると洗髪タブの最下部に設置することが考えられるが、最下部より少し上に設置するこで、排水の再利用が可能となる。シャンプー等を使い頭髪を洗っている際に出てしまう汚水は使用できないが、ある程度シャンプーを洗い流した後の排水は比較的綺麗な水なので、洗髪タブの底に貯めておいて濯ぎの際に利用することが可能となる。排水ホース４４は図に示すように、排水口４１に接続し、洗浄用水で要介護者の頭髪を洗った際に出る洗髪後の汚水を排出する。また、排水ホース４４の片端は、タンク２０の排水収容口２４と連結されていて排水はタンク２０内部に引き込まれている。排水をタンクに充満させるのでなく、排水もビニール袋に貯める構成も実施可能である。
【００２０】
首保護部４６は、洗髪をするために横たわると首が当たる部分で、洗髪タブ４０の先端面を丸みを帯びた三角形状に切り取り、切り取り部分に保護カバーとしてウレタン等の柔軟な素材を装備した構成である。ウレタンを装備する事で柔らかく首を保護する事が可能である。もちろんウレタンに代わる柔らかい素材を用いることも可能である。頭部保護部４７は、洗髪タブ４０の傾斜底面の洗髪タブ内側に設けられるもので、この実施例では長さの違うウレタンが平行に二本設置されている構造である。頭部保護部４７を用いなくても洗髪作業に支障はないが、頭部保護部４７を装備することにより、首保護部４６と共に首の負担を軽減する効果があり、また、頭部がごろごろと動かないようにすることができる。
【００２１】
ズレ防止部４８は、洗髪タブ４０の底裏面と、設置台５０の斜面の両方に敷設する部材で、雄雌型からなる面状テープ等が考えられる。雌型または雄型を洗髪タブ４０の底裏面と設置台５０の斜面に装着して洗髪タブ４０が設置台５０の斜面からずれ落ちずに一定の位置で固定できるようにしている。洗髪作業を行う際に洗髪タブ４０が動いてしまうと、ベッド等を汚してしまうだけではなく、洗髪されている者も安定性を欠く。ズレ防止部４８の素材は面状テープ（マジックテープ＝登録商標）またはその他の摩擦が大きい素材のものであればよい。この実施例では、設置台５０がスポンジクッション素材であるため、ズレ防止部４８は雌雄の両方を設ける必要はなく、洗髪タブ４０の底裏面だけに敷設すればよい。設置台５０の素材はスポンジクッション以外であっても面状テープと接着する素材であればよい。
【００２２】
シャワー保持部４９は、洗髪タブ４０の後壁に設けられた凹部で、前記シャワーヘッド３６の凹部３９を係止することができるように、シャワーヘッド３６のと凹部３９と略同径の凹部を削設している。シャワー３６を使用しない時は、シャワー保持部４９に係合させておくことにより、両手で作業をすることが出来る利点がある。
【００２３】
設置台５０は、洗髪タブ４０を傾斜面に設置する略３０度の傾斜を持つ三角柱台である。洗髪される者の頭の位置を介護者が洗髪作業し易く洗髪される者が首や背中に負担が掛からない位置に設定し、さらに、ちりとり形の洗髪タブ４０の底面を傾斜させ排水口へ汚水を流し易くする台である。従って、設置台５０を設置したときに最高部が洗髪される者の首と肩の位置と略同一の位置となり、洗髪される者の首が洗髪タブ４０の先端縁４２に当るとともに、排水口４１側へ汚水が流れるように適宜な傾斜を設けるように洗髪タブの下に設置する。洗髪タブ４０の底面が傾斜したことで、汚水が洗髪タブ４０の最下部に溜まりやすく、洗髪される者の後頭部を持ち上げやすいため介護者が作業しやすい。洗髪タブ４０の傾斜は自由に設定してもよいが、洗髪タブ４０を置く傾斜は略３０度が望ましい。傾斜がきついと要介護者の首に負担がかかり、傾斜がゆるすぎると、排水がスムーズにいかないおそれがある。また、要介護者の首から背中にかけて痛まないように、スポンジクッション等の素材を用いるのが望ましい。
【００２４】
次に、本発明の携帯簡易洗髪タブの使用方法を詳細に説明する。まず、設置台５０を要介護者のベッドに設置し、洗髪タブ４０を設置する。設置台５０を設置する際には、万が一の水漏れ予防にシートをベッドの上に敷く事が望ましい。次にタンク２０にシャワー部３０のホース３４と、洗髪タブ４０の排水ホース４４をそれぞれ設置する。次に要介護者を洗髪タブ４０の首保護部４６に首が当たるように寝かせる。これで洗髪作業の準備は終了である。電源ポンプ３２の電源を入れることにより、洗浄用水が供給され洗髪作業が開始される。
【００２５】
洗髪タブ４０は、排水が傾斜の最下部に溜まり効率的に排水される構成である。また、傾斜としたことで、要介護者の後頭部も要介護者が少し頭を上げるか、介護者が持ち上げるだけで簡単に洗髪できる構成でもある。洗浄した際の排水は最下部に溜まるが、排水ホース４４により、洗浄用水が溜まっているタンク２０に戻される。戻された排水は排水収容口２４からタンク部に導入される。このとき、タンク２０の排水は、ビニール袋による仕切２６により洗浄用水と混ざらない構成となっている。近くに洗面台等の排水溝があれば、排水ホース４４を洗面台に設置し、排水を流す事も可能である。
【００２６】
本発明の携帯可能な移動式洗髪器は、簡単な構成であるため、安価である上に持ち運びに適している。大掛かりな装置の場合は車等で運び、長い時間をかけて組み立てる作業をしているが、本発明の洗髪器は要介護者の頭髪を短時間で洗髪することが可能である。、従来は長時間に渡る作業であった洗髪作業を短時間とすることにより、要介護者の負担を軽くする効果もある。更に、介護福祉士等の専門家に依頼せず要介護者の家族等でも簡単に洗髪作業が行えるため、金銭面でも負担を軽くする事が可能となる。
【００２７】
【発明の効果】
上記説明したように本発明に係る携帯可能な移動式洗髪器によると、１．タンクとシャワー部と洗髪タブと設置台とからなる簡単な構成であるため、携帯に便利であり、コストかからず安価に提供する事ができる。
２．タンクはビニール袋等の薄膜による仕切であるため、タンク容器一杯の洗浄用水を使用することができ、また、排水も洗浄用水と混在しない構成で、洗浄水とほぼ同量の排水を同じタンクに収容することが可能であり、全体がコンパクトである。
３．洗髪タブは、三角柱を寝かせた形（ちりとり形）であり、傾斜があるので、洗髪作業が行い易くなっている。
４．洗髪タブに首保護部および頭部保護部が設けられており、さらに設置台はスポンジクッション等の柔らかい素材なので、洗髪される者の負担が非常に小さい。また、洗髪の間にズレを生ずることがないので安定して洗髪作業ができる。
５．設置台の角度を３０度としているので楽な状態で洗髪が可能となった。携帯可能であり簡単な構成なので、設置作業の時間が短縮化され、簡単に洗髪作業をすることが可能となった。
【図面の簡単な説明】
【図１】  本発明の携帯可能な移動式洗髪器の全体の構成を示す図
【図２】  タンクの構造図
【図３】  シャワー部の構造図
【図４】  （ａ）は、洗髪タブの平面図、（ｂ）は、背面図
【符号の説明】
１０ 携帯可能な移動式洗髪器
１２ ベッド
２０ タンク
２２ 洗浄用水出口
２４ 排水収容口
２６ 仕切
３０ シャワー部
３２ 電動ポンプ
３４ ホース
３６ シャワーヘッド
３７ シャワー板
３８ ホース接続部
３９ 凹部
４０ 洗髪タブ
４１ 排水口
４２ 先端縁
４４ 排水ホース
４６ 首保護部
４７ 頭部保護部
４８ ズレ防止部
４９ シャワー保持部
５０ 設置台
５２ 傾斜面
【図１】
0004068875.tif 000002
【図２】
0004068875.tif 000003
【図３】
0004068875.tif 000004
【図４】
0004068875.tif 000005